(57)【要約】  文物、書画及びオリジナル製品のデジタル化技術方法が提供される。この方法では、７５０ｎｍ〜１００Ｍｍ波長範囲の電磁波により実物個体に照射し、原子分子クラスターの電磁構造を特徴付ける三次元表裏反射波を抽出し、特異的身分識別データにアナログ−デジタル変換する。この身分識別データは、商品取引に適用でき、偽物を途絶させるとともに、昼夜、天候に関係なく、実物の識別、測位、速度測定、早期警告、収蔵品保護、資源評価、災害防止と軽減及び国家安全に適用することができる。【特許請求の範囲】
【請求項１】
可視光撮影二次元平面識別技術により、空気中を高速に近い速度で伝播する電磁波を探測ツールとして用いる文物、書画及びオリジナル製品のデジタル化方法であって、
可視光撮影により抽出される実物情報は二次元平面のデータ群であり、３５０ｎｍ〜７５０ｎｍ波長範囲の可視光による撮影識別技術では、波長が雨雪霧天候により干渉され、陶器、玉石、金銀、青銅、書道、水墨画、油画、篆刻、彫刻、農産物、工業製品、車両、汽船、航空機、山体、河川、海、橋及び建物等の実物は、多種多様であるが、互いに異なる巨大数の原子分子の三次元クラスターであり、絶縁体、半導体又は導体材料からなる実物個体に対して、本発明では、３０μｍ〜１００ｍｉｌｌｉｏｎ  ｍｅｔｅｒｓ波長範囲の電磁波により原子分子の三次元クラスターの電子核子の電磁構造を特徴付ける三次元表裏反射波を抽出し、アナログ−デジタル変換により特異的身分識別データを生成し、可視光撮影技術により抽出される実物情報は二次元平面データであるのに対し、本発明で抽出される実物情報は三次元表裏データであり、波長範囲が３５０ｎｍ〜７５０ｎｍの可視光は、波長により制限されるため、その反射波及び散乱波による実物界面での電磁情報抽出深度がいずれも７５０ｎｍ未満であり、波長範囲が３０μｍ〜１００ｍｉｌｌｉｏｎ  ｍｅｔｅｒｓの電磁波は、波長がより長いため、実物界面での電磁情報抽出深度が可視光よりも遥かに大きく、また、波長がより長いため、雨雪霧の干渉に抵抗する能力がより強いので、波長範囲が３０μｍ〜１００ｍｉｌｌｉｏｎ  ｍｅｔｅｒｓの電磁波は、昼夜、天候に関係なく、いつでも実物電磁構造の特徴情報を抽出して識別を実現することができ、可視光撮影二次元平面識別技術と異なる本発明の三次元表裏透過探測能力、特異的身分識別データ、及び雨雪霧干渉抵抗等の先端の技術特徴には、関連する物理化学の電磁気科学の理論的根拠があり、各実物個体は互いに異なる巨大数の原子分子の三次元クラスターであるため、本発明が保護しようとする技術的範囲は、３０μｍ〜１００ｍｉｌｌｉｏｎ  ｍｅｔｅｒｓ波長範囲の単一波長、多波長又は広狭帯域を探測電磁波として用いて各実物个体に照射し、反射波、散乱波、屈折波、吸収波又は透過波を抽出し、その三次元表裏電磁構造を特徴付け、個体特異的電磁波身分識別情報として用いることである、文物、書画及びオリジナル製品のデジタル化方法。
【発明の詳細な説明】
【技術分野】
【０００１】
本発明は、実物識別分野に属する。
【背景技術】
【０００２】
可視光電磁波を物体に照射するときに、反射、散乱、屈折、吸収及び透過等の物理現象が発しする。通常、可視光の反射波、散乱波により物体表面の電磁特徴情報を抽出し、反射波、散乱波をアナログ−デジタル変換して生成するデータクラスターは、物体表面の電磁構造を特徴付けることができるため、技術的には、可視光の反射波、散乱波技術は、物体表面特徴のデータ化を実現することができる。
【発明の概要】
【０００３】
本発明の解決しようとする課題は、文物、書画和オリジナル製品等の実物の三次元表裏電磁構造特徴のデジタル化である。陶器、玉石、金銀、青銅等の文物は、国家、民族及び社会の歴史、文化、審美、感情、風習、工芸、技術、科学、崇拝及び信念等を受け継ぐ。数千年も続く貴重な文物は、ほとんどは観光客が訪れる博物館や史跡に保存されており、一部の文物は商取引を通じて個人的に収蔵されている。理論的には、手作りの文物はそれぞれ異なり、時間の経過とともに変化する異なる物理的及び生化学的空間にある文物は、原子レベル及び分子レベルでは異なる。書道、水墨画、油画、篆刻及び彫刻等の芸術品は、作者、素材、技法、スタイル、外観、芸術的構想等の創造的な要素により豊かで多様な個性を示しており、数億の価値がある代々伝わってきた傑作もある。傑作の偽造は、材料、技法、明暗、色のシミュレーションを通じて外形の似ること及び内面の似ることを実現できるが、表裏の三次元の原子及び分子レベルでの偽造は不可能である。世界の農産物と工業製品の年間取引量は数百億単位であり、労力、原料、生産過程、製造プロセスの違いにより、各実物商品は原子及び分子レベルでは異なっている。本発明では、波長が可視光よりも長い電磁波を文物、書画及びオリジナル製品等の実物に照射し、反射波を三次元表裏電磁波身分識別情報として得る。陶器、玉石、金銀、青銅、書道、水墨画、油画、篆刻、彫刻、農産物、工業製品、車両、汽船、潜水艦、航空機、山体、火山、河川、海、湖、橋及び建物等の実物は、多種多様であるが、互いに異なる巨大数の原子分子の三次元クラスターである。原子分子の自由電荷及び束縛電荷等の電場作用の核子電子粒子は、各実物の原子分子の三次元クラスターにおける種類、分布及び数が異なる。電子軌道磁気モーメント及び核子、電子のスピン磁気モーメントによって決定された反磁性、常磁性、強磁性、フェリ磁性及び反強磁性原子分子の磁場作用媒体は、各実物の原子分子三次元クラスターにおける種類、分布及び数も異なる。文物、書画及びオリジナル製品等の実物は、材料的には絶縁体、半導体及び導体であってもよく、このなる波長の電磁波は、異なる導電率の材料に対する透過深さが異なる。波長範囲が赤外線、テラヘルツ波、ミリ波、センチ波、デシメートル波、メートル波、無線周波数波及び低周波を含む電磁波（７５０ｎｍ〜ｌＯＯＭｍ）を実物個体に照射して得られた反射波、散乱波、屈折波、吸収波又は透過波可は、巨大数の原子分子のクラスターの電子核子電磁構造特徴を特徴付け、身分識別を実現する。通常、反射波をアナログ−デジタル変換して生成したデータクラスターを実物個体の身分識別データとして用い、データクラスターの相違点と共通点を比較することにより、文物、書画及びオリジナル製品等の実物の個体識別を実現することができる。現在、一般的に使用されている実物の身分識別技術には、目視識別、写真、署名、印章、商標及びバーコード等があるがある。目視識別、写真、署名、印章、商標及びバーコードは、いずれも可視光カラー画像に依存し、波長範囲が３５０ｎｍ〜７５０ｎｍの可視光は、波長により制限されるため、その反射波及び散乱波による実物界面での電磁情報抽出深度がいずれも７５０ｎｍ未満である、波長範囲が７５０ｎｍ〜ｌＯＯＭｍの電磁波は、波長がより長いため、実物界面での電磁情報抽出深度が可視光よりも遥かに大きい。絶縁体、半導体又は導体材料からなる実物個体は、本発明では、７５０ｎｍ〜ｌＯＯＭｍ波長範囲の異なる周波数帯の電磁波により表裏三次元電磁反射波を身分識別情報として抽出することができる。実物のオリジナルの界面表層色彩の偽造は、技術的には実現可能でコストが低いが、実物のオリジナルの三次元表裏原子分子クラスターの電磁構造の偽造は、コストがどれほど高くても、技術的に実行不可能である。本発明では、三次元表裏電磁反射波を抽出し、アナログ−デジタル変換により身分識別データを生成することにより、文物、書画及びオリジナル製品等の実物の偽造と販売を不可能にする。したがって、可視光を依存する目視識別、写真、署名、印章、商標及びバーコードに比べ、本発明の技術は遥かに優れている。
【発明を実施するための形態】
【０００４】
三次元座標系において、実物の体積及び構成材料の導電率に基づいて適切な距離及び角度を選択し、７５０ｎｍ〜ｌＯＯＭｍ波長範囲の単一波長、多波長又は広狭帯域を探測電磁波として実物のオリジナルに照射し、反射波情報を抽出し、アナログ−デジタル変換により身分識別データを生成する。中国国家標準化委員会及び国際標準化機構の要求に応じて文物、書画及びオリジナル製品等の目的実物の身分識別データベースを構築することができる。文物、書画及びオリジナル製品等の実物製品は、世界の実店舗及びインターネット電子商取引の年間取引量は、数百億単位である。蔓延っている偽物は、原作者、生産者、ブランド、消費者の利益に実質的な損害を与える。偽物は、社会の独創性、誠実な労働、及び取引の相互信頼を破壊する。しかし、技術的には、偽物の原子分子の三次元クラスターと実物のオリジナルの原子分子の三次元クラスターの種類、分布及び数とを完全に同一にすることは不可能である。波長範囲が７５０ｎｍ〜ｌＯＯＭｍの電磁波を実物に照射し、反射波を抽出することにより、原子分子の三次元クラスターの電子核子の電磁構造の特徴をデジタル化することができる。反射波身分識別データにより、偽物が完全にバレて販売できないようにすることができる。複製不可能な三次元表裏原子分子クラスターの電磁構造を特徴付ける身分識別データにより、ミッドからハイエンド及びウルトラハイエンドの実物真物の商取引を促進することができ、実物の身分識別データの正確性、権威性及び安全性を保証する前提では、消費者は、数秒内で携帯電話を使って商品の身分識別データを送信し、互いに独立した製造業者、国家標準データベース及び国際標準データベースと比較してオリジナル製品であるか否かを確認することができる。デジタル経済の急速な発展の時代には、本発明の身分識別データは、実物の取り引きに基本的な技術保証を提供することができ、室内、地面、海洋、空及び宇宙等の位置において、ターゲットの体積及び導電率に基づいて７５０ｎｍ〜ｌＯＯＭｍにおける対応する周波数帯の電磁波を選択し、文物、芸術品、車両、汽船、潜水艦、航空機、山体、火山、河川、海、湖、橋及び建物等の様々なターゲットに照射し、三次元表裏電磁反射波を抽出し、アナログ−デジタル変換して身分識別データを生成することができる。３５０ｎｍ〜７５０ｎｍ周波数帯可視光による識別技術は、波長が雨雪霧天候により大きく影響される一方、周波数帯が７５０ｎｍ〜ｌＯＯＭｍの電磁波は、波長が可視光よりも長いため、雨雪霧の干渉に抵抗する能力がより強いので、昼夜の２４時間でターゲットを識別することができる。電磁波、センサ、インターネット、コンピュータクラスター、ソフトウェア、クラウドコンピューティング、人工知能、携帯電話及び人類知能の総合的な応用のもとで、本発明は海、陸、空で重要なターゲットの自動識別し、測位、監視、速度測定、早期警告、収蔵品保護、資源評価、動的変化、災害防止と軽減、科学研究及び国家安全等の任務に適用でき、徐々に地球のデジタル化建設を達成することができる。
【国際調査報告】
2021515247.tif 000002
2021515247.tif 000003
2021515247.tif 000004
2021515247.tif 000005